(57)【特許請求の範囲】
【請求項１】
細長い可撓性の帯と該帯の一端部で連続して一体構成をなすとともに該帯が挿通されるべき頭部とからなり、
上記帯は一表面上に横方向歯の列が設けられ、
上記頭部は入口面と、出口面と、上記入口面側から出口面側に向けた上記帯の挿通方向を向きかつ該帯の幅寸法よりも小さい間隔をもって該挿通される帯の帯幅方向に相対向する２つの帯幅方向内壁面と該挿通される帯の帯厚方向に相対向する２つの帯厚方向内壁面とで実質的に限界される孔状空所と、上記帯を上記頭部に案内挿通するために上記孔状空所の上記帯幅方向内壁面上の相対向する位置に形成された一対の帯案内挿通用の溝孔と、上記帯を上記溝孔内に嵌め入れて上記頭部に挿通したときの該帯の横方向歯の列が設けられた表面の側の上記孔状空所部分の出口面側において該孔状空所部分をほぼ閉鎖状にする閉鎖壁と、上記孔状空所内に一体構成で配設されたラチェット部とを有する
一体構造の物品封緘用バンドであって、
上記孔状空所に配設されるラチエット部は、上記閉鎖壁の上記入口面側を向く壁面の該閉鎖壁の上記帯厚方向を向く端面寄りの側から該入口面側に向けて垂下する可撓性の吊り帯部と、該吊り帯部の先端側から連続して上記溝孔の側に向けてほぼＵ字形状をなして反転立ち上がり状に延びその延びた先側に上記帯の横方向歯と係合し得る形状の爪先部が形成された可撓性の係止爪部とを備え、
上記爪先部は上記溝孔に挿通された帯の上記横方向歯に該爪先部が噛み合うときの位置よりも上記帯厚方向の先側に達して延びており、
上記ラチェット部の吊り帯部の上記横方向歯と対向する内壁面を向く外面と該内壁面との間の間隔を、上記ラチェット部の爪先部の位置と上記帯が上記一対の帯案内挿通用の溝孔に嵌め入れられて上記頭部に挿通されかつ上記爪先部が上記帯の横方向歯と噛み合っている状態での該爪先部の位置との上記帯厚方向の距離にほぼ等しくしてあり、
しかして帯を上記頭部の入口面側から上記一対の溝孔に嵌め入れて上記頭部に挿通させたときに上記ラチェット部の爪先部が上記帯厚方向内壁面のうちの上記帯の横方向歯と対向する内壁面側に退いて該横方向歯と噛み合うとともに上記ラチェット部の上記入口面側の端部分が上記帯の横方向歯の先端を含む面と上記横方向歯と対向する内壁面との間をほぼ閉鎖状とし、
外部からは実際上破壊もしくは破損させることなく上記噛み合いを外すことを困難もしくは不可能とした
ことを特徴とする一体構造の物品封緘用バンド。
【請求項２】
請求項１記載の一体構造の物品封緘用バンドにおいて、上記帯の横方向歯の列は該帯の表面と平行な頂面と一側の垂直側面と他側の傾斜側面と帯の表面と平行な谷底面とで形成されており、上記ラチェット部の係止爪部の立ち上がり部分は上記帯厚方向を向く外面を有し、上記ラチェット部の爪先部は上記外面の上に該厚方向を向いてほぼ上記横方向歯の谷の形状に形成されるとともに該爪先部と上記横方向歯とが噛み合うときは該爪先部の頂面と該横方向歯の谷底面とが当接することを特徴とする一体構造の物品封緘用バンド。
【請求項３】
請求項１記載の一体構造の物品封緘用バンドにおいて、上記ラチェット部の爪先部の先端が上記溝孔の位置よりも更に上記帯厚方向の先側へ達して延びていることを特徴とする一体構造の物品封緘用バンド。
【請求項４】
請求項１記載の一体構造の物品封緘用バンドにおいて、上記帯を上記頭部に挿通して閉鎖環を形成するときに該環の内側を向く該帯の表面に上記横方向歯の列が設けられており、上記帯が該溝孔に嵌め入れられて上記頭部に挿通されたときの該帯の上記横方向歯が設けられない側の表面と該表面が対面する側の上記帯厚方向内壁面との間に間隙を備えるとともに該内壁面を供する上記頭部の部分の厚みが他の部分の厚みよりも薄くされたことを特徴とする一体構造の物品封緘用バンド。
【発明の詳細な説明】
【０００１】
【発明の属する技術分野】
本発明は、例えば中に品物を収納して運送するプラスチックコンテナの蓋や、複数の物品の纏まりを封緘するために用いる一体構造の物品封緘用バンドに関する。
【０００２】
【従来の技術】
従来、宅配便において使用される運送用のプラスチックコンテナ等の通い箱の蓋が運送の途中で開けられて中に収納した品物が抜き取られたり或は逆に新たに品物が加えられたりすることがなく、運送直前の状態のまま所定の届先に届けられたことを確認できるようにするための適当な物品封緘用具がなかった。即ち、例えば通い箱の蓋の封緘を該蓋と箱本体との間に粘着テープを渡して張って封緘の用を足そうとしても、これが剥された後で又同じ様な粘着テープが張られてしまえば通い箱が開封されたことは判らないため実効がない。又蓋に鍵をつけることも考えられるがその場合は通い箱の届先の側も合鍵を持っておく必要がありそれは誠に不便であって実用不能であった。
【０００３】
【発明が解決しようとする課題】
本発明の課題は、上記した従来のニーズに応えて、例えば上記コンテナの蓋部分と本体部分等の複数の部分のそれぞれに設けた孔をすべて挿通してもしくは纏められるべき複数の物品のそれぞれに設けた孔をすべて挿通して、又は纏められるべき複数の物品であってケーブル形状のものを一部抜取ったり新たに加えたりできないような形態で束ねて巻いて、実際上破壊するか破損させるかすることなくしては解除不能な閉鎖環を形成して拘束することで、該複数の部分もしくは物品の纏まりを簡便に封緘する新規な一体構造の物品封緘用バンドの提供である。
【０００４】
【課題を解決するための手段及び発明の効果】
上記課題を解決するための請求項１の発明の一体構造の物品封緘用バンドは、細長い可撓性の帯と該帯の一端部で連続して一体構成をなすとともに該帯が挿通されるべき頭部とからなり、上記帯は一表面上に横方向歯の列が設けられ、上記頭部は入口面と、出口面と、上記入口面側から出口面側に向けた上記帯の挿通方向を向きかつ該帯の幅寸法よりも小さい間隔をもって該挿通される帯の帯幅方向に相対向する２つの帯幅方向内壁面と該挿通される帯の帯厚方向に相対向する２つの帯厚方向内壁面とで実質的に限界される孔状空所と、上記帯を上記頭部に案内挿通するために上記孔状空所の上記帯幅方向内壁面上の相対向する位置に形成された一対の帯案内挿通用の溝孔と、上記帯を上記溝孔内に嵌め入れて上記頭部に挿通したときの該帯の横方向歯の列が設けられた表面の側の上記孔状空所部分の出口面側において該孔状空所部分をほぼ閉鎖状にする閉鎖壁と、上記孔状空所内に一体構成で配設されたラチェット部とを有する一体構造の物品封緘用バンドであって、上記孔状空所に配設されるラチエット部は、上記閉鎖壁の上記入口面側を向く壁面の該閉鎖壁の上記帯厚方向を向く端面寄りの側から該入口面側に向けて垂下する可撓性の吊り帯部と、該吊り帯部の先端側から連続して上記溝孔の側に向けてほぼＵ字形状をなして反転立ち上がり状に延びその延びた先側に上記帯の横方向歯と係合し得る形状の爪先部が形成された可撓性の係止爪部とを備え、上記爪先部は上記溝孔に挿通された帯の上記横方向歯に該爪先部が噛み合うときの位置よりも上記帯厚方向の先側に達して延びており、上記ラチェット部の吊り帯部の上記横方向歯と対向する内壁面を向く外面と該内壁面との間の間隔を、上記ラチェット部の爪先部の位置と上記帯が上記一対の帯案内挿通用の溝孔に嵌め入れられて上記頭部に挿通されかつ上記爪先部が上記帯の横方向歯と噛み合っている状態での該爪先部の位置との上記帯厚方向の距離にほぼ等しくしてあり、しかして帯を上記頭部の入口面側から上記一対の溝孔に嵌め入れて上記頭部に挿通させたときに上記ラチェット部の爪先部が上記帯厚方向内壁面のうちの上記帯の横方向歯と対向する内壁面側に退いて該横方向歯と噛み合うとともに上記ラチェット部の上記入口面側の端部分が上記帯の横方向歯の先端を含む面と上記横方向歯と対向する内壁面との間をほぼ閉鎖状とし、外部からは実際上破壊もしくは破損させることなく上記噛み合いを外すことを困難もしくは不可能としたことを特徴とする。
【０００５】
ここでラチェットとは、横方向歯の列を有する駆動部の該横方向歯と係合する戻り止めの爪からなる戻り止め機構を指して言うものとする。
この請求項１記載の発明の物品封緘用バンドは、強度が強くかつ可撓性にも優れている点でポリアミド樹脂（ナイロン）がより好ましいところの合成樹脂の、射出成形金型を用いた一体モールド成形加工で容易に製作することができる。又、帯を一旦上記頭部に挿通させて該帯の表面に設けられた横方向歯と該頭部内に一体構成で配設されたラチェット部の係止爪部の爪先部とが噛み合った後は、帯を頭部に対する挿通方向に更に通し進めることはラチェット部の係止爪部が可撓性の吊り帯部で吊られていて逃げ方向の自由度が大きいので比較的軽い力によって可能であるが、逆に帯を頭部から外す方向には破損することなく引き戻すことはラチェット部の係止爪部の戻り止め作用によって阻止されて不可能となる。そして一旦帯を頭部に挿通して上記横方向歯と係止爪部の爪先部とが噛み合った後では、頭部の出口面側における上記閉鎖壁の端面と帯の面との間隙からドライバー等の道具の先を入れてラチェット部の係止爪部の爪先部と帯の上記横方向歯との噛み合いを外すようにすることは、該間隔が殆ど無いかあっても狭いために実際上傷跡を残さずしては不可能となる。又頭部の入口面側の開口から道具の先を入れてラチェット部の入口面側の端部分を突く等することによって係止爪部の爪先部が帯の横方向歯と噛み合わない状態にして帯を引き戻そうとしても、上記係止爪部をのけ反り状になして上記爪先部の先端を上記横方向歯の先端を含む面よりも上記横方向歯と対向する内壁面側に退けて置くことが実際上極めて困難であるがために、それは実際上傷跡を残さずしては不可能となる。従ってこの物品封緘用バンドによる封緘状態を解くためには実際上帯又は頭部をペンチ、カッターナイフ等を用いて破断するか或は破壊するしかなく、いずれにせよ封緘状態を解いたらその跡は明白に残されることとなる。
【０００６】
また、請求項１記載の発明の一体構造の物品封緘用バンドは、上記ラチェット部の吊り帯部の上記横方向歯と対向する内壁面を向く外面と該内壁面との間の間隔を、上記ラチェット部の爪先部の位置と上記帯が上記一対の帯案内挿通用の溝孔に嵌め入れられて上記頭部に挿通されかつ上記爪先部が上記帯の横方向歯と噛み合っている状態での該爪先部の位置との上記帯厚方向の距離にほぼ等しくしてあるから、帯を頭部に挿通したときにラチェット部に過大な変形をもたらすことなく該ラチェット部の入口面側の端部分が、上記挿通された帯の横方向歯の先端を含む面と、該横方向歯と対向する内壁面との間を該ラチェット部の上記帯幅方向の幅に渡って確実に閉鎖状とする。
【０００７】
請求項２記載の発明の一体構造の物品封緘用バンドは、請求項１記載の一体構造の物品封緘用バンドにおいて、上記帯の横方向歯の列は該帯の表面と平行な頂面と一側の垂直側面と他側の傾斜側面と帯の表面と平行な谷底面とで形成されており、上記ラチェット部の係止爪部の立ち上がり部分は上記帯厚方向を向く外面を有し、上記ラチェット部の爪先部は上記外面の上に該厚方向を向いてほぼ上記横方向歯の谷の形状に形成されるとともに該爪先部と上記横方向歯とが噛み合うときは該爪先部の頂面と該横方向歯の谷底面とが当接することを特徴とする。
この請求項２記載の発明の一体構造の物品封止用バンドでは、横方向歯と爪先部との形状は、断面形状が直角３角形を呈する歯列もしくは爪先部の形状よりも強くかつ成形加工が容易な形状となり、又帯を頭部に挿通したときの該帯の横方向歯とラチェット部の爪先部との噛み合い状態をより確実な噛み合い状態にすることできる。
【００１０】
請求項３記載の発明の一体構造の物品封緘用バンドは、上記ラチェット部の爪先部の先端が上記溝孔の位置よりも更に上記帯厚方向の先側へ達して延びていることを特徴とする。
この請求項３記載の発明の一体構造の物品封止用バンドは、帯を頭部に挿通したときの該帯の横方向歯とラチェット部の爪先部との間の噛み合い保持性がより高められる。又、帯を頭部の中に挿通する際に誤って帯を出口面側から入口面側に向けて挿通しようとしても、ラチェット部が邪魔をしてこれを確実に阻止し誤った使用が未然に防止される。
【００１１】
請求項４記載の発明の一体構造の物品封止用バンドは、請求項１記載の一体構造の物品封緘用バンドにおいて、上記帯を上記頭部に挿通して閉鎖環を形成するときに該環の内側を向く該帯の表面に上記横方向歯の列が設けられており、上記帯が該溝孔に嵌め入れられて上記頭部に挿通されたときの該帯の上記横方向歯が設けられない側の表面と該表面が対面する側の上記帯厚方向内壁面との間に間隙を備えるとともに該内壁面を供する上記頭部の部分の厚みが他の部分の厚みよりも薄くされたことを特徴とする。
【００１２】
この請求項４記載の発明の一体構造の物品封止用バンドでは、通常封緘を解くときには帯の部分をペンチで切断して簡単に行えるが、これができ難い状況にあるとき、例えば複数のケーブル状の物品を束ねてこの一体構造の物品封緘用バンドで強く巻き付けて封緘しているときに、上記厚みが薄くされた頭部部分（物品封緘用バンドの長手方向の端面を供する頭部の部分）を上記間隙にカッターの先を入れて切り進めて比較的容易に頭部を切断することができ、開封が可能となる。なお、この間隙を利用して、封緘に係わる物品の名称や送り先等を記したエフを取り付けることもできる。
【００１３】
【発明の実施の形態】
本発明の一体構造の封緘用バンドの一つの実施形態を図１から図９までに基づいて説明する。なお、図１はこの実施形態の全体図で、（イ）は上面図、（ロ）は一部破断して示した側面図、（ハ）は下面図である。図２は図１（ロ）の帯の横方向歯の列が設けられ部分の破断部Ａの拡大図である。図３は、図１（ハ）の帯の横方向歯の列が設けられ部分のＢ−Ｂ断面矢視図である。図４は図１の頭部の部分をより拡大した図で、（イ）はその上面図、（ロ）はその下面図である。図５は図４（イ）のＣ−Ｃ断面矢視図である。図６は図４（イ）のＤーＤ断面矢視図である。図７は帯が頭部に挿通されて帯の横方向歯とラチェット部の爪先部とが噛み合った状態にあるときの、上記ＣーＣ断面矢視に相当する断面の図であり、図８は図７の状態から帯を矢印の方向に引っ張ったときに、ラチェット部の爪先部が横方向歯の傾斜側面に押されて噛み合いが外れているときの、上記ＣーＣ断面矢視に相当する断面の図であり、図９は図７の状態から帯に矢印の方向に力を加えて引き戻そうとするときに、ラチェット部の爪先部が帯の横方向歯と噛み合った状態で突っ張って上記帯の引き戻しを阻止している状態の、上記ＣーＣ断面矢視に相当する断面の図である。
【００１４】
実施形態の一体構造の物品封緘用バンド１は、射出成形金形による樹脂の一体モールド成形加工品であり、図１に示すごとく細長い可撓性の帯２と該帯２の一端部で連続して一体構成をなすとともに該帯が挿通されるべき頭部３とからなる。上記帯２は一表面上、ここでは該帯を上記頭部３に挿通して形成されるべき環の内側面となる表面４（以下、帯の内側表面と称する）には横方向歯５の列が設けられている。
【００１５】
図２と図３とに拡大して示したように上記横方向歯５は、帯の内側表面４と平行な頂面５ａと一側の垂直側面５ｂと他側の傾斜側面５ｃと帯の内側表面４と平行な谷底面５ｄとで形成された鋸刃状をなし、そしてその頂面５ａはここでは上記帯の内側表面４から僅かに突出されてはいるが主としては内側表面４から彫り込むようにして、該帯２の幅方向中央部を占めて形成されている。帯２の長手方向の先側部分６は、この物品封緘用バンド１のモールド成形後の自由状態で該帯２の他の部分に対して該帯で形成されるべき上記環の内側へ向く方にやや折れ曲って形成されるとともに該帯２の横方向歯５の列が形成された帯の長手方向中央域部分よりも薄肉とされより可撓性となっていて、上記頭部の中に挿通し易くしてある。又上記帯の先側部分６の、上記環の外側を向く面上には横方向小突起７の列が設けられていて、該先側部分６を頭部３の中に通した後にこの部分を手で摘んで更に引っ張るのに好都合としてある。帯２の頭部３に連続する側の端側部分も該帯２の上記中央域部分よりも薄肉にされるとともにここでは該端側部分の幅を部分的に拡大することによってプレート部８が形成されるようにしていて、該プレート部８に物品封緘用バンド１の個別化記号等を記入乃至刻印することができるようにしてある。
【００１６】
図４から図６においてより詳細に示したように、上記プレート部８に続く頭部３は、ここでは帯２の内側表面４から連続する面として形成された入口面１１と、該入口面１１から帯２の挿通方向に隔たった出口面１２とを備える。又上記頭部３は、上記入口面１１側から出口面１２側に向けた上記帯２の挿通方向を向きかつ該帯２の幅寸法よりも小さい間隔をもって該挿通される帯２の帯幅方向に相対向する２つの帯幅方向内壁面１６、１７と該挿通される帯２の帯厚方向に相対向する２つの帯厚方向内壁面１８、１９とで実質的に限界される孔状空所１４と、上記帯２を上記頭部３に案内挿通するために上記孔状空所１４の上記帯幅方向内壁面１６、１７上の相対向する位置に形成された一対の帯案内挿通用の溝孔２０、２１とを備える。この対をなす溝孔２０と２１との溝底は帯２の案内のために上記帯幅方向に該帯２の幅寸法よりも僅かに大きい寸法で離隔し、該溝孔の溝の側壁面２２と２３との上記帯厚方向の間隔は帯２の厚みより僅かに大きい寸法とされる。なお、上記溝孔の、上記帯２の横方向歯の列が設けられない側の表面、即ちここでは帯２の外側表面と対面する側の側壁面２２は、後述する帯２の衝き当り面となる。又上記頭部３は、上記帯２を上記溝孔２０、２１内に嵌め入れて上記頭部３に挿通したときの該帯２の横方向歯５の列が設けられた内側表面４側にある上記孔状空所１４部分の出口面１２側において該孔状空所部分をほぼ閉鎖状にするところの該頭部３と一体構成の閉鎖壁１３と、上記孔状空所１４内に頭部３と一体構成で配設されたラチェット部３０とを備える。ここで上記閉鎖壁１３の上記帯厚方向の上記溝孔２０、２１側を向く端面１３ａと、帯２を上記一対の溝孔２０、２１に嵌め入れて頭部３に挿通するとともに該帯２を該溝孔の側壁面２２に対して衝き当て状態にしたときの該帯２（図５に一点鎖線で示されている）の横方向歯５の先端即ち頂面５１を含む面との間隔ｌ５（図５）はゼロとされるか少なくともドライバー等の道具の先を入れてラチェット部３０を操作することが実際上不可能な程度には狭くされる。上記孔状空所１４に配設されたラチエット部３０は、上記閉鎖壁１３の上記入口面１１側を向く壁面１３ｂの上記端面１３ａ寄りの側から該入口面１１側に向けて垂下する可撓性の吊り帯部３１と、該吊り帯部３１の先端側から連続して概略Ｕ字形状をなして一旦上記帯厚方向の上記帯２の衝き当り面となるべき上記溝孔２０、２１の側壁面２２の側に向けて延びその後帯２の挿通方向に立ち上がり状に延びその延びた先側には上記帯２の横方向歯５と係合し得る形状の爪先部３２が形成された可撓性の係止爪部３３とを備える。より詳しくはこの実施形態では、ラチェット部３０の係止爪部３３の立ち上がり部分３４は上記溝孔２０、２１の側壁面２２、２３とほぼ平行な外面３４ａを有し、ラチェット部３０の爪先部３２は上記外面３４ａ上に内壁面１９側を向いて形成されている。上記爪先部３２の形状は上記横方向歯５の谷の形状にほぼ合致させた形状、即ち、頂面３２ａと垂直側面３２ｂと傾斜側面３２ｃとからなる鋸歯状に形成されるとともに該爪先部３２の頂面３２ａと該横方向歯５の谷底面５ｄとは当接し合って噛み合う関係にされている。即ち、上記爪先部３２の頂面３２ａと上記外面３４ａとの距離ｌ４は、帯２の横方向歯５の谷底面５ｄから頂面５ａまでの高さｌ２よりも若干大きくされている。そして上記爪先部３２の頂面３２ａは、帯２が上記一対の溝孔２０、２１の一方の側壁面２２に衝き当てられた状態で該溝孔２０、２１に挿通されたときの該帯２の横方向歯５の谷底面５ｄの位置から上記帯厚方向先側にｌ１だけ越えて、ここでは上記溝孔の側壁面２２を僅かに越える位置にまで達して形成されていて、帯２を頭部３に挿通したときに該横方向歯５と爪先部３２との間でより大きい噛み合い維持力が得られるようにされている。そして又、この実施形態では、前記ラチェット部３０の吊り帯部３１の、頭部３に挿通されたときの帯２の横方向歯５が対向する側の上記帯厚方向内壁面１８（これは後述するラチェット部の衝き当り面となる）を向く外面３１ａと、上記内壁面１８との間の間隔ｌ３は上記間隔ｌ１にほぼ等しくされていて、帯２を頭部３に挿通して帯２の横方向歯５とラチェット部３０の爪先部３２とが噛み合ったときに該ラチェット部３０の入口面１１側の端部分３０ａ（図７）が有利に上記頭部３の孔状空所１４の入口面１１側を閉鎖状となる。更にこの実施形態では、ラチェット部３０の爪先部３２が、帯２の横方向歯５との噛み合ったときにより大きい耐変形性を呈し得るとともに帯２の幅方向に位置ずれを起こし難くしもって噛み合い保持性をより高めるようにするために、噛み合い状態で該横方向歯５の幅方向両側端面を挟む配置関係で該爪先部３２の傾斜側面３２ｃの幅方向両端側に表面を傾斜させた補強リブ３５、３５を設けている。この補強リブ３５、３５の傾斜表面は帯２を最初に頭部３に中に、ラチェット部３０の係止爪部３３を上記内壁面１８側に押し退けて挿通させる際に、滑らかに行われるようにするのにも役立つ。なお、ラチェット部３０の立ち上がり部分３４の入口面１１側の角にはラチェット作動時に帯２との干渉を避けようにするために面取り部３４ｂ（図５）が設けているが、これも上記と同様の役に立つ。  しかして、図７に示すように、帯２を上記頭部３の入口面１１側から上記一対の帯案内挿通用の溝孔２０、２１に、該帯２の横方向歯５を上記ラチェット部３０の衝き当て面となる内壁面１８側に向けて嵌め入れることによって該頭部３に挿通したときには、封緘用バンドのモールド後の自由状態にあるときの上記ラチェット部３０の爪先部３２（図７の一点鎖線）は該内壁面１８側に退けられて上記帯２の横方向歯５と噛み合い、そして噛み合った後の帯２の自然放置状態で上述したように上記ラチェット部３０の上記入口面１１側の端部分３０ａは過大な変形を伴うことなく（この変形を適度に行わせてもよい）上記帯２の横方向歯５の先端を含む面と上記ラチェット部の衝き当り面となる内壁面１８との間Ｅを、該ラチェット部３０の帯の幅方向の幅に渡って実際上閉鎖状とする。
【００１７】
又、帯２を出口面１２側に向けて通し進めるときは、図８に示すように、該帯２の横方向歯５の傾斜側面５ｃがラチェット部３０の上記爪先部３２を押すと同時に該ラチェット部３０が上記内壁面１８に衝き当たるとことによって上記係止爪部３３をのけ反り状にする力が加わって該爪先部３２は更に上記内壁面１８側にのけ反り状になって退いて上記帯２の通し進めを可能とする。
【００１８】
又、帯２を入口面１１側に向けて引き戻すときは、図９に示すように、ラチェット部３０の係止爪部３３の上記内壁面１８側の端部分３０ｃが上記吊り帯部３１で吊り上げられた状態で該内壁面１８に衝き当ることによって固定状態となると同時に該係止爪部３３の上記爪先部３２が帯２の横方向歯５と噛み合った状態で該帯２を介して上記溝孔２０、２１の帯２の衝き当り面となる側壁面２２に衝き当たって該帯２の引き戻しを阻止する。
【００１９】
この一体構造の物品封緘用バンド１は、例えば図１０に示したようにして用いられる。即ち、物品封緘用バンド１が用いられる運送用のプラスチックコンテナ１００は、コンテナ本体１０１と、調番によって観音開きに開閉する蓋１０２ａ、１０２ｂとを備え、各蓋１０２ａ、１０２ｂの所定位置とコンテナ本体の対応する所定位置には、それぞれ物品封緘用バンド１を挿通するための孔１０３ａ、１０３ａと，１０３ｂ，１０３ｂとが設けられている。そしてコンテナ本体１０１内に所定の品物を収納した後、蓋１０２ａ，１０２ｂを閉じ、２つの物品封緘用バンド１、１の一方を孔１０３ａと１０３ａとに、他方を孔１０３ｂと１０３ｂとにそれぞれ挿通し、その後に各物品封緘用バンド１、１の帯２を頭部３内に挿通して締め、実際上開放不能な閉鎖環を形成して蓋と本体とを所定の拘束状態下で封緘し、従ってコンテナ１００が封緘される。この様にした後ではもはや、実際上物品封緘用バンド１、１に強い力を加えて破損せずしては、従って開封したことが知られずしては、蓋１０２ａ，１０２ｂを開けて中の品物を取り出したり或は又別の品物を加えたりすることは不可能となる。そしてコンテナ１００が所定の届先に無事届けられたことが確認されたときには、例えばペンチを用いて物品封緘用バンド１、１の帯２の部分を簡単に切断することでコンテナ１００を開封する。
【００２０】
なお、従来から本発明の物品封緘用バンドと類似する構造を有するものに、一体構造のケーブルタイがあるが、これは表面に横方向歯が形成された帯と、該帯とは一体構成で内部にはラチェット機構部が設けられた該帯が挿通されるべき頭部とを備えるが、少なくとも上記頭部に帯を挿通した後に、該頭部の外側にラチェット機構部の端部分が突出露呈するか、又は突出露呈しない場合でも帯を通した状態の該頭部の孔が出口面で大きく開口していて、中のラチェット機構部を外部から操作してラチェットの爪と帯の横方向歯との噛み合いを外すことが可能なものであり、本発明の目的の物品封緘用には使用不可能である。
【００２１】
上記実施形態では、横方向歯５を該帯２の内側表面（帯２によって形成すべき環の内側に当たる表面）４に設け、従ってラチェット部３０は頭部３の、帯２の一端側に連続して一体構成される側寄りに配設される場合を示したが、これに対して横方向歯５を帯２の外側表面（帯によって形成すべき環の外側に当たる表面）に設け、従ってラチェット部３０は頭部３の、帯２の一端側に連続して一体構成される側とは反対の側寄りに配設するようにしてもよい。
【図面の簡単な説明】
【図１】本発明の実施形態の一体構造の物品封緘用バンドの全体図で、（イ）は上面図、（ロ）は一部破断して示した側面図、（ハ）は下面図である。
【図２】図１（ロ）の破断部Ａの拡大図である。
【図３】図１（ハ）のＢ−Ｂ断面矢視図である。
【図４】頭部の部分をより拡大した図で、（イ）はその上面図、（ロ）はその下面図である。
【図５】図４（イ）のＣ−Ｃ断面矢視図である。
【図６】図４（イ）のＤーＤ断面矢視図である。
【図７】帯が頭部に挿通されて帯の横方向歯とラチェット部の爪先部とが噛み合った状態にあるときの、上記ＣーＣ断面矢視に相当する断面の図である。
【図８】図７の状態から帯を矢印の方向に引っ張ったときに、ラチェット部の爪先部が帯の横方向歯の傾斜側面に押されて噛み合いが外れるときの、上記ＣーＣ断面矢視に相当する断面の図である。
【図９】図７の状態から帯を矢印の方向に力を加えて引き戻そうとしたときに、ラチェット部の爪先部が帯の横方向歯と噛み合った状態で突っ張って上記引き戻しを阻止している状態の、上記ＣーＣ断面矢視に相当する断面の図である。
【図１０】実施形態の一体構造の物品封緘用バンドの使用状態例を示す図である。
【符号の説明】
１…一体構造の物品封緘用バンド、２…帯、３…頭部、５…横方向歯、１３…閉鎖壁、１４…孔状空所、１６・１７…帯幅方向内壁面、１８・１９…帯厚方向内壁面、３０…ラチェット部、３１…吊り帯部、３２…爪先部、３３…係止爪部
【図１】
0003545135.tif 000002
【図２】
0003545135.tif 000003
【図３】
0003545135.tif 000004
【図４】
0003545135.tif 000005
【図５】
0003545135.tif 000006
【図６】
0003545135.tif 000007
【図７】
0003545135.tif 000008
【図８】
0003545135.tif 000009
【図９】
0003545135.tif 000010
【図１０】
0003545135.tif 000011